(57)【要約】      （修正有）【課題】イベントにおいて華やかに使用することができ、また、テーマパーク等における特定のキャラクターを模したスペアバルーンを着脱して子供の土産品としての応用もできる多色ランダム発光バルーンの提供。【解決手段】筒状グリップ３の先端部外周にバルーン１の基部２を嵌着した多色ランダム発光バルーンにおいて、筒状グリップ３の先端部には複数の発光ダイオード１０，１１，１２が具備されており、発光ダイオード１０，１１，１２をランダムに発光させるための回路基板９とバッテリー８とが筒状グリップ３内に収納されている。筒状グリップ３の下部外周には嵌着可能なキャップ５がストラップ４を介して筒状グリップ３に係止されており、キャップ５は着脱自在に構成されており、キャップ５を外して給排口１６より空気を供給すると筒状グリップ３内のパイプ１７，１８を介してバルーン１内に空気が供給されバルーン１が膨らみ、その後はキャップ５を嵌着する。【選択図】図３
0003120560.tif 000002
【実用新案登録請求の範囲】
【請求項１】
筒状グリップの先端部外周にバルーンの基部を嵌着した多色ランダム発光バルーンにおいて、筒状グリップの先端部に複数の発光ダイオードを具備し、該発光ダイオードをランダムに発光させるための回路基板とバッテリーを該筒状グリップ内に収納したことを特徴とする多色ランダム発光バルーン。
【請求項２】
筒状グリップの下部外周に嵌着可能なキャップがストラップを介して筒状グリップに係止されており、該キャップは着脱自在に構成されていることを特徴とする請求項１記載の多色ランダム発光バルーン。
【請求項３】
キャップを外して給排口より空気を供給すると筒状グリップ内のパイプを介してバルーン内に空気が供給されバルーンが膨らみ、また、排気釦を押圧すると逆止弁装置内の球体が上昇して逆止弁装置内に空隙が形成され、バルーン内の空気が排出されるように構成したことを特徴とする請求項１記載の多色ランダム発光バルーン。
【請求項４】
任意のキャラクター等の形状や任意のパターンが描画されたスペアバルーンを具備したことを特徴とする請求項１記載の多色ランダム発光バルーン。
【考案の詳細な説明】
【技術分野】
【０００１】    本考案は多色ランダム発光バルーンに関し、特に筒状グリップの先端部外周にバルーンの基部を嵌着した多色ランダム発光バルーンにおいて、筒状グリップの先端部に複数の発光ダイオードを具備し、該発光ダイオードをランダムに発光させるための回路基板とバッテリーを該筒状グリップ内に収納したことを特徴とする多色ランダム発光バルーンであって、お祭りやライブ等のイベントにおいて華やかに使用することのできるものである。また、テーマパーク等における特定のキャラクターを模したスペアバルーンを用意すれば子供の土産品としての応用範囲も高まるものである。
【背景技術】
【０００２】  振動や音を感知して、キャラクター等の形状に形成された風船内に投光して、イベント行事等において、小児や子供または大人たちの注意を喚起するように提案された空気充填形象玩具が本出願人によって先に提案されている。【０００３】
【実用新案文献１】
実用新案登録第３０８４３８３号公報
【考案の開示】
【考案が解決しようとする課題】
【０００４】    しかしながら、上述した「空気充填形象玩具」は人体の一部に保持して使用するか台上に載置して使用する形状であったが、これに対し、更に多様に使用できるように筒状グリップの先端部に嵌着することのできるスペアバルーンを着脱自在に具備すると共に、筒状グリップを持ってバルーンをランダムに発光させ、お祭りやライブ等のイベントにおいて華やかに使用できるようにした多色ランダム発光バルーンを提供する。
【課題を解決するための手段】
【０００５】  本考案の多色ランダム発光バルーンは、筒状グリップの先端部外周にバルーンの基部を嵌着した多色ランダム発光バルーンにおいて、筒状グリップの先端部に複数の発光ダイオードを具備し、該発光ダイオードをランダムに発光させるための回路基板とバッテリーを該筒状グリップ内に収納したことを特徴とし、筒状グリップの下部外周に嵌着可能なキャップがストラップを介して筒状グリップに係止されており、該キャップは着脱自在に構成されていることを特徴とし、キャップを外して給排口より空気を供給すると筒状グリップ内のパイプを介してバルーン内に空気が供給されバルーンが膨らみ、また、排気釦を押圧すると逆止弁装置内の球体が上昇して逆止弁装置内に空隙が形成され、バルーン内の空気が排出されるように構成したことを特徴とし、任意のキャラクター等の形状や任意のパターンが描画されたスペアバルーンを具備したことを特徴とする多色ランダム発光バルーンを提供するものである。
【考案の効果】
【０００６】    バルーンの内部から照射される複数の発光ダイオードの光がランダムに照射されるので綺麗なイルミエーション効果を奏し、お祭りやライブ等のイベントにおいて華やかに使用することができ、お祭りやライブ等のイベントを更に華やかに演出することができる。また、テーマパーク等における特定のキャラクターを模したスペアバルーンを用意すれば子供の土産品としての応用範囲も高まるものである。
【考案を実施するための最良の形態】
【０００７】  以下、図面に示す実施例に基づき、本考案の具体的な構成を説明する。
図面に於いて、図１は本考案に係る多色ランダム発光バルーンの全体図である。図２はスペアバルーンの斜視図である。図３は図１の部分断面拡大図である。【０００８】  筒状グリップ３の先端部外周にバルーン１の基部２を嵌着した多色ランダム発光バルーンにおいて、筒状グリップ３の先端部には複数の発光ダイオード１０，１１，１２が具備されており、該発光ダイオード１０，１１，１２をランダムに発光させるための回路基板９とバッテリー８とが該筒状グリップ３内に収納されている。【０００９】  筒状グリップ３の下部外周には嵌着可能なキャップ５がストラップ４を介して筒状グリップ３に係止されており、該キャップ５は着脱自在に構成されており、キャップ５を外して給排口１６より空気を供給すると筒状グリップ３内のパイプ１７，１８を介してバルーン１内に空気が供給されバルーン１が膨らみ、その後はキャップ５を嵌着する。【００１０】  スイッチ３１を押圧するとバッテリー８がオンされると、回路基板９を経て色の異なる発光ダイオード１０，１１，１２がランダムに発光され、バルーン１内を照射し、変化に富んだイルミネーション効果が生じる。【００１１】  また、使用を中止する時や、スペアバルーン６，７等に交換するときは、排気釦１５を押圧すると逆止弁装置１３内の球体１４が上昇して逆止弁装置１３内に空隙が形成され、バルーン１内の空気が排出されるように構成されている。スペアバルーン６．７等は任意のキャラクター等の形状に形成され、又は、任意のパターンが表面に描画され、使用者の好みに合わせて使用することができる。
【図面の簡単な説明】
【００１２】
【図１】本考案に係る多色ランダム発光バルーンの全体図である。
【図２】スペアバルーンの斜視図である。
【図３】図１の部分断面拡大図である。
【符号の説明】
【００１３】  １  バルーン
２  基部
３  筒状グリップ
３１  スイッチ
４  ストラップ
５  キャップ
６  スペアバルーン
７  スペアバルーン
８  バッテリー
９  回路基板
１０  発光ダイオード
１１  発光ダイオード
１２  発光ダイオード
１３  逆止弁装置
１４  球体
１５  排気釦
１６  給排口
１７  パイプ
１８  パイプ
【図１】
0003120560.tif 000003
【図２】
0003120560.tif 000004
【図３】
0003120560.tif 000005